(57)【要約】【課題】所望のデータのみを個別にバックアップ、復元できるようにする。【解決手段】画像形成装置は、印刷部、データを記憶する記憶部、１又は複数の項目の選択を受け付ける操作パネル、前記操作パネルで選択された項目に対応するデータのコピーをバックアップデータとして保存先に記憶させる制御部と、を備える。操作パネルは、バックアップデータを選択する操作を受け付ける。制御部は、選択されたバックアップデータに基づく復元を記憶部に行わせる。復元では、制御部は、選択されたバックアップデータと同じ項目に対応するデータを選択されたバックアップデータに戻す。【選択図】図１４
2018075769.tif 000002
【特許請求の範囲】
【請求項１】
印刷を行う印刷部と、
データを記憶する記憶部と、
１又は複数の項目の選択を受け付ける操作パネルと、
前記記憶部に記憶されたデータのうち、前記操作パネルで選択された前記項目に対応するデータのコピーを前記バックアップデータとして保存先に記憶させる制御部と、を備え、
前記操作パネルは、前記バックアップデータを選択する操作を受け付け、
前記制御部は、前記操作パネルで選択された前記バックアップデータに基づく復元を前記記憶部に行わせ、前記復元では、選択された前記バックアップデータと同じ前記項目に対応するデータを選択された前記バックアップデータに戻すことを特徴とする画像形成装置。
【請求項２】
前記記憶部は、複数の設定値をデータとして記憶し、
前記項目として複数の仕分け項目が設けられ、
各前記設定値は複数の前記仕分け項目の何れかに割り当てられることを特徴とする請求項１に記載の画像形成装置。
【請求項３】
前記記憶部は、複数のファームウェアをデータとして記憶し、
１つの前記ファームウェアが１つの前記項目に該当することを特徴とする請求項１又は２に記載の画像形成装置。
【請求項４】
前記記憶部は、複数のアプリケーションをデータとして記憶し、
１つの前記アプリケーションが１つの前記項目に該当することを特徴とする請求項１乃至３の何れか１項に記載の画像形成装置。
【請求項５】
前記操作パネルは、前記バックアップデータを自動的に前記保存先に記憶させるイベントを設定するイベント設定を受け付け、
前記操作パネルは、前記項目ごとに前記イベント設定を受け付け、
前記制御部は、前記イベント設定に基づき、前記バックアップデータを前記保存先に記憶させることを特徴とする請求項１乃至４の何れか１項に記載の画像形成装置。
【請求項６】
前記操作パネルは、前記項目ごとに前記バックアップデータを記憶させる前記保存先を選択する設定を受け付けることを特徴とする請求項１乃至５の何れか１項に記載の画像形成装置。
【請求項７】
前記操作パネルは、実行されたバックアップのレポートであるバックアップレポートの出力先を選択する設定を受け付け、
バックアップが実行された場合、
前記出力先として印刷が選択されているとき、前記制御部は、前記バックアップレポートを前記印刷部に印刷させ、
前記出力先として送信が選択されたとき、前記制御部は、予め定められた送信先に前記バックアップレポートを送信させ、
前記操作パネルは、前記バックアップレポートに含める内容を定める設定を受け付け、
前記制御部は、前記操作パネルで設定された内容の前記バックアップレポートを印刷又は送信させることを特徴とする請求項１乃至６の何れか１項に記載の画像形成装置。
【請求項８】
前記制御部は、前記項目１つにつき、予め定められた復元ポイント数内の前記バックアップデータを前記保存先に記憶させ、新たに前記バックアップデータを記憶させると前記復元ポイント数を超える場合、前記復元ポイント数を超える前記項目の前記バックアップデータのうち、最も古い前記バックアップデータを削除し、
前記復元ポイント数は、前記項目ごとに定められることを特徴とする請求項１乃至７の何れか１項に記載の画像形成装置。
【請求項９】
前記操作パネルは、複数の前記バックアップデータを選択する操作を受け付け、
前記制御部は、複数の選択された前記バックアップデータに基づき、複数の前記項目に対応するデータの復元を行うことを特徴とする請求項１乃至８の何れか１項に記載の画像形成装置。
【請求項１０】
前記操作パネルは、他の画像形成装置の前記バックアップデータを選択する操作を受け付け、
他の画像形成装置の前記バックアップデータに基づき、前記制御部は、前記復元を前記記憶部に行わせることを特徴とする請求項１乃至９の何れか１項に記載の画像形成装置。
【請求項１１】
前記操作パネルは、実行された前記復元のレポートである復元レポートの出力先を選択する設定を受け付け、
前記復元が実行された場合、
前記出力先として印刷が選択されているとき、前記制御部は、前記復元レポートを前記印刷部に印刷させ、
前記出力先として送信が選択されているとき、前記制御部は、予め定められた送信先に前記復元レポートを送信させ、
前記操作パネルは、前記復元レポートに含める内容を定める設定を受け付け、
前記制御部は、前記操作パネルで設定された内容の前記バックアップレポートを印刷又は送信させることを特徴とする請求項１乃至１０の何れか１項に記載の画像形成装置。
【発明の詳細な説明】
【技術分野】
【０００１】
本発明は、データのバックアップ及び復元を行う画像形成装置に関する。
【背景技術】
【０００２】
データが破損した場合、電子機器の動作に不具合が生ずることがある。復元を行って、不具合を直すことがある。復元のため、電子機器が記憶するデータのバックアップが予め行われる。データ破損が生じた場合、バックアップデータをメモリーに上書きする。これにより、メモリーのデータを、破損前（バックアップ取得時、復元ポイント）に戻すことができる。このような復元に関する技術の一例が特許文献１に記載されている。
【０００３】
具体的に、特許文献１には、システム復元のためのデータを記憶するサーバと、サーバにネットワークで接続されるクライアントコンピューターを含み、クライアントコンピューターの復元を行うための基本データである復元データを解析し、圧縮した最適化データを作成し、前記復元データ及び前記最適化データを前記サーバに転送し、前記最適化データ及び前記復元データを前記サーバに保存し、保存された前記最適化データをもとに前記復元データを再構成し、復元原本データを作成し、前記復元原本データに基づいて前記クライアントコンピューターの復元処理を行うコンピューターの復元システムが記載されている。サーバに保存すべきデータの最適化をはかり、保存及び復元の時間を短くしようとする（特許文献１：請求項３、段落［００６３］等参照）。
【先行技術文献】
【特許文献】
【０００４】
【特許文献１】特開２０１３−１７０５１３号公報
【発明の概要】
【発明が解決しようとする課題】
【０００５】
複合機、複写機、ファクシミリ装置、プリンターのような画像形成装置は、各種データを記憶する。このデータは、制御用のプログラムも含む。記憶するデータのうちどの部分が破損するかわからない。復旧の可能性を高めるには、できるだけ多くのデータのバックアップを取っておくことが好ましい。また、破損した場合、どのような不具合が生ずるか使用者では正確に判断できない。これらの理由から、従来、復元のためのバックアップを行うとき、どのデータをコピーするかは予め定められる。従来、バックアップでは、画像形成装置の製造者側が定めたデータがコピーされている。
【０００６】
例えば、画像形成装置の動作に必要なデータ（システムデータ）がコピーされる。また、アドレス帳のような再入力の手間がかかるデータもコピーされることもある。１回のバックアップで画像形成装置の全データをコピーすることもあり得る。このように、従来、１回のバックアップで、画像形成装置が記憶する多くのデータがコピーされている。
【０００７】
画像形成装置のデータバックアップでは、多くのデータがまとめてコピーされている。そのため、１回のバックアップ、復元に時間がかかる。バックアップデータを保存する領域のサイズが大きくなりやすいという問題がある。また、復元時に用いるバックアップデータが大きいため、復元を行ったとき、元に戻したくないデータまで復元されることもある。このように、画像形成装置では、所望のデータのみのバックアップと復元を行えないという問題がある。
【０００８】
尚、特許文献１記載の技術は、クライアントコンピューターが復元データ及び最適化データをサーバに転送し、保存及び復元の時間を短くしようとする。しかし、特許文献１に記載の技術では、バックアップ実行者の所望のデータのみをバックアップすることはできない。また、最適化データに基づく再構成処理、データ作成処理を行うので、復元に時間がかかる場合がある。また、従って、特許文献１記載の技術では、上記の問題を解決することはできない。
【０００９】
本発明は、上記従来技術の問題点に鑑み、所望のデータのみを個別にバックアップ、復元できるようにし、項目ごとに復元ポイントを作成できるようにする。
【課題を解決するための手段】
【００１０】
上記課題解決のため、請求項１に係る画像形成装置は、印刷部、記憶部、操作パネル、制御部と、を備える。前記印刷部は、印刷を行う。前記記憶部は、データを記憶する。前記操作パネルは、１又は複数の項目の選択を受け付ける。前記制御部は、前記記憶部に記憶されたデータのうち、前記操作パネルで選択された前記項目に対応するデータのコピーを前記バックアップデータとして保存先に記憶させる。前記操作パネルは、前記バックアップデータを選択する操作を受け付ける。前記制御部は、前記操作パネルで選択された前記バックアップデータに基づく復元を前記記憶部に行わせ、前記復元では、選択された前記バックアップデータと同じ前記項目に対応するデータを選択された前記バックアップデータに戻す。
【発明の効果】
【００１１】
従来、画像形成装置のバックアップでは、予め定められた全てのデータがまとめてコピーされていた。また、復元を行った場合、元に戻したくないデータまで復元されてしまう場合があった。本発明によれば、所望のデータのみを個別にバックアップ、復元することができる。また、項目ごとに復元ポイントを作成することができる。
【図面の簡単な説明】
【００１２】
【図１】実施形態に係る複合機の一例を示す図である。
【図２】実施形態に係る記憶部が記憶するデータの一例を示す図である。
【図３】実施形態に係るシステムメニュー画面の一例を示す図である。
【図４】実施形態に係る項目選択画面の一例を示す図である。
【図５】実施形態に係る項目選択画面の一例を示す図である。
【図６】実施形態に係る項目選択画面の一例を示す図である。
【図７】実施形態に係る保存先選択画面の一例を示す図である。
【図８】実施形態に係る基本設定画面の一例を示す図である。
【図９】実施形態に係る基本設定画面の一例を示す図である。
【図１０】実施形態に係る基本設定画面の一例を示す図である。
【図１１】実施形態に係る基本設定画面の一例を示す図である。
【図１２】実施形態に係る個別設定画面の一例を示す図である。
【図１３】実施形態に係る個別設定画面の一例を示す図である。
【図１４】実施形態に係る複合機でのデータのバックアップの流れの一例を示すフローチャートである。
【図１５】実施形態に係るデータ選択画面の一例を示す。
【図１６】実施形態にかかる復元レポート設定画面の一例を示す。
【図１７】実施形態に係る複合機での復元の流れの一例を示すフローチャートである。
【発明を実施するための形態】
【００１３】
以下、図１〜図１７を用いて本発明の実施形態を説明する。以下の説明では、画像形成装置として複合機１００を例に挙げて説明する。但し、本実施の形態に記載されている構成、配置等の各要素は、発明の範囲を限定するものではなく単なる説明例にすぎない。
【００１４】
（複合機１００）
図１に基づき、実施形態に係る複合機１００を説明する。図１は、実施形態に係る複合機１００の一例を示す図である。
【００１５】
図１に示すように、複合機１００は、制御部１、記憶部２、操作パネル３、画像読取部４、印刷部５、接続部６、通信部７を含む。
【００１６】
制御部１は、複合機１００の動作を制御する。制御部１は、記憶部２、操作パネル３、画像読取部４、印刷部５、接続部６、通信部７とバスや信号線で接続される。制御部１は、各部を制御する。制御部１は、スキャン動作や印刷動作のような複合機１００の動作を制御する。制御部１は、ＣＰＵ１ａ、画像処理部１ｂのような回路を含む。ＣＰＵ１ａは、記憶部２に記憶されるプログラム、データに基づき処理を行う。ＣＰＵ１ａは、複合機１００の各部の制御や、各種の演算処理を行う。画像処理部１ｂは、印刷や送信に用いる画像データに画像処理を施す。処理後の画像データは、印刷部５でのトナー像形成や、送信に用いられる。
【００１７】
記憶部２は、ＲＯＭ、ＨＤＤのような不揮発性の記憶装置と、ＲＡＭのような揮発性の記憶装置を含む。記憶部２は、データを不揮発的に記憶する。例えば、記憶部２は、制御用プログラム、制御用データ、設定データ、画像データを記憶する。
【００１８】
操作パネル３は、表示パネル３１、タッチパネル３２、ハードキー３３を含む。制御部１は、各種設定画面を表示パネル３１に表示させる。また、表示パネル３１は、複合機１００の状態や各種メッセージを表示する。表示パネル３１の上面にタッチパネル３２が設けられる。タッチパネル３２は、表示パネル３１でタッチされた位置（座標）を検知する。タッチパネル３２の出力に基づき、制御部１は、タッチされた画面内の操作画像を認識する。例えば、操作画像はソフトキー、ボタン、タブである。また、操作パネル３には、スタートキーやテンキーのような複数のハードキー３３も設けられる。
【００１９】
制御部１は、原稿を画像読取部４に読み取らせる。画像読取部４は読み取った原稿の画像データを生成する。画像読取部４は送り読取用コンタクトガラス（不図示）を通過する原稿や、載置読取用コンタクトガラス（不図示）にセットされた原稿を読み取る。
【００２０】
印刷部５は、給紙部５ａ、用紙搬送部５ｂ、画像形成部５ｃ、定着部５ｄを含む。給紙部５ａは、複数の用紙を収容する。印刷ジョブを実行するとき、制御部１は、用紙を給紙部５ａに供給させる。制御部１は給紙部５ａから供給された用紙を用紙搬送部５ｂに搬送させる。制御部１は、画像データに基づきトナー像を画像形成部５ｃに形成させる。画像形成部５ｃは、搬送される用紙にトナー像を転写する。制御部１は、用紙に転写されたトナー像を定着部５ｄに定着させる。トナー定着後の用紙は、機外に排出される。
【００２１】
制御部１は、接続部６と通信可能に接続される。接続部６は、携帯型メモリー２００が接続されるインターフェイスである。接続部６は、ソケット、通信制御用回路を含む。携帯型メモリー２００には、ＵＳＢメモリーを用いることができる。例えば、接続部６は、ＵＳＢインターフェイス回路である。なお、携帯型メモリー２００はメモリーカードのような他種の媒体でもよい。
【００２２】
制御部１は、通信部７と通信可能に接続される。通信部７は、コンピューター３００や他の画像形成装置４００と通信を行える。通信部７は、ネットワークや公衆回線を介して通信を行う。通信部７は、コンピューター３００や他の画像形成装置４００とデータのやり取りを行える。
【００２３】
（記憶部２が記憶するデータ）
次に、図２を用いて、実施形態に係る記憶部２が記憶するデータの一例を説明する。図２は、実施形態に係る記憶部２が記憶するデータの一例を示す図である。
【００２４】
記憶部２は、データを不揮発的に記憶できる。複合機１００では、データをバックアップする（複製する）ことができる。また、バックアップしたデータに基づき復元を行うことができる。本説明でのデータには、プログラムやアプリケーションが含まれる。そして、複合機１００では、データは項目に基づき分類される。項目単位でバックアップすることができる。そこで、バックアップの対象となる記憶部２のデータを説明する。
【００２５】
記憶部２は、設定値記憶領域２１、ファームウェア記憶領域２２、アプリケーション記憶領域２３を含む。記憶部２は、複数の設定値をデータとして記憶する。各設定値は、設定値記憶領域２１に記憶される。設定値は、複合機１００を適切に動作させるためのパラメータとなる場合がある。また、設定値には、使用者が設定し、登録したものもある。各設定値を仕分ける項目として、仕分け項目が設けられる。各設定値は、何れかの仕分け項目に割り当てられる。仕分け項目として、デフォルト、ネットワーク、コピー、プリンター、原稿／用紙設定、送信、アドレス帳、ユーザーアカウントが設けられる。なお、仕分け項目は一例である。仕分け項目の名前を別のものとしてもよい。仕分け項目の数をより多くしてもよいし、少なくしてもよい。
【００２６】
記憶部２は、デフォルトの仕分け項目に割り当てられた設定値をデフォルト設定値Ｓ１として記憶する。また、記憶部２はネットワークの仕分け項目に割り当てられた設定値をネットワーク設定値Ｓ２として記憶する。以下、同様に、記憶部２は、コピー設定値Ｓ３、プリンター設定値Ｓ４、原稿／用紙設定値Ｓ５、送信設定値Ｓ６、アドレス帳設定値Ｓ７、ユーザーアカウント設定値Ｓ８を記憶する。
【００２７】
ジョブの各設定項目のデフォルト値（初期設定値）はデフォルト設定値Ｓ１として記憶される。ネットワーク通信に関する設定値は、ネットワーク設定値Ｓ２として記憶される。コピージョブに関する設定値はコピー設定値Ｓ３として記憶される。プリンタージョブに関する設定値はプリンター設定値Ｓ４として記憶される。原稿や用紙に関して使用者に設定された設定値は原稿／用紙設定値Ｓ５として記憶される。送信ジョブに関する設定値は送信設定値Ｓ６として記憶される。使用者が登録した宛先名やアドレスはアドレス帳設定値Ｓ７として記憶される。複合機１００を使用可能な者のＩＤやパスワードは、ユーザーアカウント設定値Ｓ８として記憶される。
【００２８】
記憶部２は、複数のファームウェアをデータとして記憶する。１つのファームウェアが１つの項目に該当する。図２に示すように、例えば、記憶部２は、メインファームウェアＦ１、ＭＭＩファームウェアＦ２、パネルファームウェアＦ３、ブラウザーファームウェアＦ４、エンジンファームウェアＦ５、スキャナーファームウェアＦ６、ＩＨＣＰＵファームウェアＦ７、ブートファームウェアＦ８を記憶する。なお、記憶部２に記憶されるファームウェアは、上記のものに限られない。他のファームウェアを記憶させてもよい。
【００２９】
ファームウェアは、ハードウェアを制御するためのソフトウェア、プログラム、データを含む。メインファームウェアＦ１は制御部１の制御に用いられる。ＭＭＩファームウェアＦ２は操作パネル３の制御に用いられる。パネルファームウェアＦ３は表示パネル３１の制御に用いられる。ブラウザーファームウェアＦ４は複合機１００の通信に用いられる。エンジンファームウェアＦ５は印刷部５の制御に用いられる、スキャナーファームウェアＦ６は画像読取部４の制御に用いられる、ＩＨＣＰＵファームウェアＦ７は定着部５ｄのＣＰＵ（不図示）が用いる。ブートファームウェアＦ８は、起動に用いられる。
【００３０】
記憶部２にインストールすることにより、アプリケーションを使用できるようになる。アプリケーションにより複合機１００をより便利に使用することができる。例えば、名刺のスキャンデータから住所録を自動作成するアプリケーションがある。記憶部２は、複数のアプリケーションをデータとして記憶できる。１つのアプリケーションが１つの項目に該当する。図２では、４つのアプリケーション（第１アプリＡ１、第２アプリＡ２、第３アプリＡ３、第４アプリＡ４）を記憶部２に記憶させる例を示している。
【００３１】
（バックアップする項目の選択）
次に、図３〜図６を用いて、実施形態に係る複合機１００での項目の選択の一例を説明する。図３は、実施形態に係るシステムメニュー画面８１の一例を示す図である。図４、図５、図６は、実施形態に係る項目選択画面８２の一例を示す図である。
【００３２】
従来、画像形成装置では、データのバックアップを行うとき、予め定められた全てのデータのバックアップを行っていた。一方、複合機１００では、操作パネル３は１又は複数の項目の選択を受け付ける。項目単位でバックアップするデータを選択することができる。制御部１は、記憶部２のデータのうち、操作パネル３で選択された項目に対応するデータのコピーをバックアップデータとして保存先に記憶させる。
【００３３】
そこで、以下、図３〜図６を用いて、項目の選択を説明する。まず、図３は、システムメニュー画面８１である。操作パネル３に所定の操作が行われたとき、制御部１は、システムメニュー画面８１を表示パネル３１に表示させる。システムメニュー画面８１には、復元ポイント作成キーＫ１と復元実行キーＫ２が設けられる。
【００３４】
復元ポイント作成キーＫ１を操作することにより、データのバックアップを開始することができる。復元ポイント作成キーＫ１が操作されたとき、制御部１は、図４に示す項目選択画面８２を表示パネル３１に表示させる。
【００３５】
図４の項目選択画面８２では、使用者は、バックアップデータを作成する仕分け項目を選択できる。仕分け項目の選択画面には、複数の第１選択キーＫ３が配される。第１選択キーＫ３には、何れか１つの仕分け項目の文字列が含まれる。１つの第１選択キーＫ３は、何れか１つの仕分け項目と対応する。操作パネル３は、第１選択キーＫ３への操作を受け付ける。制御部１は、操作された第１選択キーＫ３を認識する。制御部１は、操作された第１選択キーＫ３に対応する仕分け項目が選択されたと認識する。制御部１は、バックアップするデータが選択された仕分け項目に対応する設定値であると認識する。
【００３６】
例えば、ネットワークの第１選択キーＫ３が操作されたとき、制御部１は、ネットワーク設定値Ｓ２をバックアップするデータと認識する。図４は、プリンターとアドレス帳の第１選択キーＫ３が操作された状態の一例を示す。複数の仕分け項目を同時に選択することが可能である。
【００３７】
タブＴＢを操作することにより、ファームウェアを選択するための項目選択画面８２を表示させることができる。図５は、ファームウェアを選択するための項目選択画面８２の一例を示す。使用者は、ファームウェアの選択画面にてバックアップするファームウェアを選択できる。ファームウェアの選択画面には、複数の第２選択キーＫ４が配される。第２選択キーＫ４には、何れか１つのファームウェアの文字列が含まれる。１つの第２選択キーＫ４は、何れか１つのファームウェアと対応する。操作パネル３は、第２選択キーＫ４への操作を受け付ける。制御部１は、操作された第２選択キーＫ４を認識する。制御部１は、操作された第２選択キーＫ４に対応するファームウェアが選択されたと認識する。制御部１は、選択されたファームウェアをバックアップするデータと認識する。
【００３８】
例えば、メインファームウェアＦ１に対応する第２選択キーＫ４が操作されたとき、制御部１は、メインファームウェアＦ１をバックアップするデータと認識する。図５は、エンジンファームウェアＦ５とスキャナーファームウェアＦ６の第２選択キーＫ４が操作された状態の一例を示す。このように、複数のファームウェア（項目）を同時に選択することが可能である。
【００３９】
また、タブＴＢを操作することにより、アプリケーションを選択するための項目選択画面８２を表示させることができる。図６は、アプリケーションファームウェアを選択するための項目選択画面８２の一例を示す。使用者は、アプリケーションの選択画面にてバックアップするアプリケーションを選択できる。アプリケーションの選択画面には、複数の第３選択キーＫ５が配される。第３選択キーＫ５には、何れか１つのアプリケーションの文字列が含まれる。言い換えると、第３選択キーＫ５は、何れか１つのアプリケーションと対応する。操作パネル３は、第３選択キーＫ５への操作を受け付ける。制御部１は、操作された第３選択キーＫ５を認識する。制御部１は、操作された第３選択キーＫ５に対応するアプリケーションが選択されたと認識する。制御部１は、選択されたアプリケーションをバックアップするデータと認識する。
【００４０】
例えば、第４アプリＡ４に対応する第３選択キーＫ５が操作されたとき、制御部１は、第４アプリＡ４をバックアップするデータと認識する。図６は、第１アプリＡ１と第２アプリＡ２の第３選択キーＫ５が操作された状態の一例を示す。このように、複数のアプリケーション（項目）を同時に選択することが可能である。
【００４１】
（保存先の選択）
次に、図７を用いて、実施形態に係る保存先（保存装置）の選択の一例を説明する。図７は、実施形態に係る保存先選択画面８３の一例を示す図である。
【００４２】
図４〜図６に示す各選択画面には、基本設定キーＫ６、項目設定キーＫ７、キャンセルキーＫ８、生成キーＫ９が設けられる。生成キーＫ９が操作されたとき、制御部１は、図７に示す保存先選択画面８３を表示パネル３１に表示させる。保存先設定画面では、選択した項目のバックアップデータの保存先を設定することができる。
【００４３】
保存先設定画面には、ＨＤＤキーＫ１０、メモリーキーＫ１１、ネットワークキーＫ１２が設けられる。つまり、記憶部２、携帯型メモリー２００、コンピューター３００の中から保存先（保存装置）を選択することができる。ＨＤＤキーＫ１０が操作されたとき、制御部１は、記憶部２（ＨＤＤ）を保存先と認識する。メモリーキーＫ１１が操作されたとき、制御部１は、接続部６に取り付けられた携帯型メモリー２００を保存先と認識する。ネットワークキーＫ１２が操作されたとき、制御部１は、複合機１００外の装置を保存先と認識する。言い換えると、制御部１は、外部のコンピューター３００を保存先と認識する。外部のコンピューター３００は、通信部７とネットワークを介して通信可能なＰＣやサーバーである。
【００４４】
ＨＤＤキーＫ１０、メモリーキーＫ１１、ネットワークキーＫ１２の下方には、宛先設定領域Ｒ０が設けられる。制御部１は、デフォルトの保存先として登録されたコンピューター３００を宛先設定領域Ｒ０に表示させる。宛先設定領域Ｒ０では、バックアップデータを保存させるコンピューター３００を設定することができる。例えば、コンピューター３００の名前、パス、コンピューター３００のアクセスに必要な情報を設定することができる。
【００４５】
宛先設定領域Ｒ０には変更キーＫ１３が複数設けられる。保存先のコンピューター３００を変更したいとき、何れかの変更キーＫ１３を操作する。変更キーＫ１３が操作されたとき、制御部１は、ソフトウェアキーボード画面（不図示）を表示させる。使用者は、ソフトウェアキーボード画面を操作し、バックアップデータの保存先とするコンピューター３００を設定する。このように、操作パネル３は、バックアップデータを記憶させる保存先を選択する設定を受け付ける。また、項目ごとに保存先を設定することができる。
【００４６】
保存先設定画面の下方には、ＯＫキーＫ１４が設けられる。ＯＫキーＫ１４が操作されたとき、制御部１は、バックアップデータの生成と保存を開始する。つまり、使用者は手動でデータのバックアップを行える。具体的に、制御部１は、選択された項目に対応するデータのコピーを、選択された保存先に記憶させる。制御部１は選択された仕分け項目に対応する設定値のコピーを保存先に記憶させる。制御部１は選択されたファームウェアのコピーを保存先に記憶させる。制御部１は選択されたアプリケーションのコピーを保存先に記憶させる。
【００４７】
（バックアップの基本設定）
次に、図８〜図１１を用いて、実施形態に係る複合機１００でのバックアップの基本設定の一例を説明する。図８〜図１１は、実施形態に係る基本設定画面８４の一例を示す図である。
【００４８】
基本設定キーＫ６を操作することにより、バックアップの基本設定（共通設定）を行うことができる。基本設定画面８４には、ＨＤＤボタンＢ１、ネットワークボタンＢ２、トリガーボタンＢ３、レポートボタンＢ４が設けられる。また、基本設定画面８４にはＯＫキーＫ１５とキャンセルキーＫ１６が設けられる。設定が完了したとき、ＯＫキーＫ１５が操作される。設定を破棄するとき、キャンセルキーＫ１６が操作される。
【００４９】
基本設定画面８４には、第１切替領域Ｒ１が設けられる。操作されたボタンに応じて、制御部１は第１切替領域Ｒ１の表示内容を切り替える。ＨＤＤボタンＢ１が操作されたとき、制御部１は、図８に示す基本設定画面８４を表示パネル３１に表示させる。ＨＤＤボタンＢ１が操作されたとき、制御部１はサイズ設定欄Ｃ１と上書きボタンＢ５を第１切替領域Ｒ１内に表示させる。使用者は、ＨＤＤの記憶容量のうち、バックアップデータの保存に割り当てる容量をサイズ設定欄Ｃ１で設定できる。古くなったバックアップデータの上書きを行うか否かを上書きボタンＢ５で設定することができる。上書きボタンＢ５への操作により、上書きのＯＮ／ＯＦＦを切り替えることができる。
【００５０】
ネットワークボタンＢ２が操作されたとき、制御部１は、図９に示す基本設定画面８４を表示パネル３１に表示させる。ネットワークボタンＢ２が操作されたとき、制御部１は保存先ボタン群Ｇ１を第１切替領域Ｒ１内に表示させる。保存先ボタン群Ｇ１を操作することで、バックアップデータを保存させるデフォルトのコンピューター３００を設定することができる。例えば、コンピューター３００の名前、パス、コンピューター３００のアクセスに必要な情報（ログインユーザー名、パスワード）を設定することができる。保存先ボタン群Ｇ１の何れかのボタンが操作されたとき、制御部１は、ソフトウェアキーボード画面（不図示）を表示させる。使用者は、ソフトウェアキーボード画面を操作して情報を設定できる。
【００５１】
トリガーボタンＢ３が操作されたとき、制御部１は、図１０に示す基本設定画面８４を表示パネル３１に表示させる。トリガーボタンＢ３が操作されたとき、制御部１はイベントボタンＢ６とイベント表示欄Ｃ２を複数表示させる。使用者は、イベントボタンＢ６を操作し、バックアップを行うトリガーを設定することができる。言い換えると、操作パネル３は、バックアップデータを自動的に保存先に記憶させるイベントを設定するイベント設定を受け付ける。図１０の例では、ファームウェアの変更、電源ＯＮ、アプリケーションのアップデート、記憶部２のＲＯＭの初期化がイベントとして設定されている。なお、他のタイミング（時点）をイベントとしてもよい。
【００５２】
レポートボタンＢ４が操作されたとき、制御部１は、図１１に示す基本設定画面８４を表示パネル３１に表示させる。レポートボタンＢ４が操作されたとき、制御部１は、送信先設定ボタン群Ｇ２と内容設定ボタン群Ｇ３を第１切替領域Ｒ１内に表示させる。図１１に示す例では、送信先設定ボタン群Ｇ２は内容設定ボタン群Ｇ３の上側に位置する。
【００５３】
送信先設定ボタン群Ｇ２は、４つの出力先選択ボタンを含む。出力先選択ボタンを操作し、バックアップレポートの出力先を設定することができる。バックアップレポートは、実行されたバックアップに関する情報が記される。バックアップレポートは、バックアップ実行時に出力される。出力先として、コンピューター３００、クラウド、ＨＤＤ（記憶部２）、印刷を選択することができる。複数の出力先を選択することもできる。
【００５４】
操作パネル３は、バックアップに関するバックアップレポートの出力先（出力方法）を選択する設定を受け付ける。バックアップレポートの出力先に印刷が選択されているとき、制御部１は、バックアップレポートを印刷部５に印刷させる。出力先への送信が選択されているとき、制御部１は、予め設定された送信先（コンピューター３００、クラウド、記憶部２）にバックアップレポートを送信する。なお、バックアップレポートを出力先は上記の場所（方法）に限られない。他の出力先を選択できるようにしてもよい。
【００５５】
内容設定ボタン群Ｇ３は、４つの内容選択ボタンを含む。制御部１は、バックアップデータを生成した項目名をバックアップレポートに含ませる。ファームウェアのバックアップを行ったとき、バックアップレポートには、バックアップしたファームウェアの名前が含まれる。そして、内容選択ボタンを操作することにより、バックアップレポートの出力内容を設定することができる。
【００５６】
具体的に、所定の情報のうち、何れをバックアップレポートに含めるかを選択できる。所定の情報は、バックアップされた個々の項目のデータサイズ、バックアップデータの合計サイズ、日付、状態（バックアップが正常に行われたか否か）である。なお、バックアップレポートに含める情報は、上記のものに限られない。他の情報について選択できるようにしてもよい。このように、操作パネル３は、バックアップレポートに含める内容を定める設定を受け付ける。制御部１は、操作パネル３で設定された内容のバックアップレポートを印刷又は送信させる。
【００５７】
（項目単位の設定）
次に、図１２、図１３を用いて、実施形態に係る複合機１００での項目単位の設定の一例を説明する。図１２、１３は実施形態に係る個別設定画面８５の一例を示す図である。
【００５８】
複合機１００では、項目ごとにバックアップに関する設定を行うことができる。項目設定キーＫ７（図４〜図６参照）を操作することにより、項目単位でバックアップに関する個別設定を行うことができる。項目設定キーＫ７が操作されたとき、制御部１は、個別設定画面８５を表示パネル３１に表示させる。
【００５９】
項目選択欄Ｃ３が個別設定画面８５の上方に設けられる。項目選択欄Ｃ３が操作されたとき、制御部１は、図４〜図６と同様の画面を表示させる。制御部１は、これらの画面で選択された項目を認識する。制御部１は、個別に選択された項目（個別選択項目）を項目選択欄Ｃ３内に表示させる。バックアップに関し、項目ごとに設定を行うことができる。図１２、図１３では、ネットワーク、アドレス帳の項目が選択されている状態を示す。
【００６０】
個別設定画面８５には、復元ポイントボタンＢ７、自動バックアップボタンＢ８が設けられる。また、個別設定画面８５にはＯＫキーＫ１７とキャンセルキーＫ１８が設けられる。設定が完了したとき、ＯＫキーＫ１７が操作される。設定を破棄するとき、キャンセルキーＫ１８が操作される。
【００６１】
個別設定画面８５には、第２切替領域Ｒ２が設けられる。操作されたボタンに応じて、制御部１は第２切替領域Ｒ２の表示内容を切り替える。復元ポイントボタンＢ７が操作されたとき、制御部１は、図１２に示す個別設定画面８５を表示パネル３１に表示させる。復元ポイントボタンＢ７が操作されたとき、制御部１は復元ポイント欄Ｃ４を第２切替領域Ｒ２内に表示させる。使用者は、復元ポイント欄Ｃ４を操作し、項目単位で復元ポイント数（バックアップデータの個数）を設定できる。言い換えると、操作パネル３は、項目単位でバックアップデータの上限数（復元ポイント数）の設定を受け付ける。図１２の例では、ネットワーク、アドレス帳の項目の復元ポイント数は、５とされる。制御部１は、項目１つにつき、予め定められた復元ポイント数内のバックアップデータを保存先に記憶させる。これにより、バックアップデータの合計容量を抑えることができる。
【００６２】
また、使用状況、更新頻度に応じ、項目ごとに復元ポイント数を定めることができる。ファームウェアは、一般的にアップデートの頻度は多くない。ファームウェアをアップデート前のものに戻すことは少ない。一方、アプリケーションについては、アップデート前のバージョンに自由に戻せるようにしたい場合がある。そこで、ファームウェアの復元ポイント数をアプリケーションの復元ポイント数よりも少なくしてもよい。使用者の希望に沿うように、復元ポイント数を項目ごとに定めることができる。例えば、あるファームウェアの復元ポイント数は２つまでとし、あるアプリケーションの復元ポイント数は５つまでとすることができる。
【００６３】
上書きがＯＮされている場合、かつ、新たにバックアップデータを記憶させると復元ポイント数を超える場合、制御部１は、復元ポイント数を超える項目のバックアップデータのうち、最も古いバックアップデータを削除する。例えば、バックアップすると選択された項目の復元ポイント数が２とする。また、その項目のバックアップデータが保存先として選択された保存先に既に２つあるとする。この場合、制御部１は、選択された保存先のバックアップデータのうち、最も古いバックアップデータを削除させる。そして、制御部１は、選択された項目の新たなバックアップデータを選択された保存先に記憶させる。
【００６４】
なお、上書きがＯＮされていない場合、制御部１は、容量オーバーが生ずるか否か、及び、復元ポイント数を超えるか否かを確認する。容量オーバーが生ずる場合、又は、復元ポイント数を超える場合、制御部１は、エラーが発生したと扱う。この場合、新たなバックアップデータは、保存されない。もしくは、制御部１は、現在保存されている復元ポイント（バックアップデータ）を表示パネル３１に表示させる。この画面において、操作パネル３は、新たに保存する代わりに、削除する復元ポイントの選択を受け付ける。制御部１は、選択された復元ポイントを削除する。容量や復元ポイント数に空きを作る。そして、制御部１は、新たなバックアップデータを保存させる。
【００６５】
自動バックアップボタンＢ８が操作されたとき、制御部１は、図１３に示す個別設定画面８５を表示パネル３１に表示させる。自動バックアップボタンＢ８が操作されたとき、制御部１は、スケジュールボタンＢ９、周期選択欄Ｃ５、複数のトリガー選択ボタンＢ１０を表示させる。
【００６６】
使用者は、スケジュールボタンＢ９を操作し、選択した項目のバックアップを周期的に作成するか否かを設定できる。スケジュールボタンＢ９への操作により、周期的なバックアップのＯＮ／ＯＦＦを切り替えることができる。図１３は、周期的な自動バックアップをＯＮにしている状態の一例を示す。
【００６７】
周期選択欄Ｃ５はプルダウンメニューとなっている。周期選択欄Ｃ５が操作されたとき、制御部１は、設定可能な周期の一覧を表示パネル３１に表示させる。例えば、１日、２日、１週間、１０日、２週間、１ヶ月、３ヶ月、半年、１年といった周期が表示される。図１３では、自動バックアップの周期として、１週間が選択されている状態を示す。周期的な自動バックアップがオンの場合、制御部１は、選択されている項目のバックアップデータが作成されてから設定された周期が経過した時点を認識する。そして、制御部１は、選択されている項目のバックアップデータを自動的に保存先に記憶させる。図１３の例では、ネットワークとアドレス帳の項目のバックアップデータが１週間ごとに保存される。周期的な自動バックアップに基づきバックアップデータを保存する場合、デフォルト保存先が設定されているとき、バックアップデータをデフォルト保存先に記憶させてもよい。また、制御部１は、バックアップデータを記憶部２に記憶させてもよい。
【００６８】
また、トリガー選択ボタンＢ１０を操作することにより、バックアップ開始のトリガーを選択することができる。図１０に示す基本設定画面８４で設定されたトリガーのうち、適用するトリガーを選択することができる。つまり、操作パネル３は、項目ごとにバックアップ開始のイベント設定を受け付ける。選択したトリガーに対応するイベントが発生したとき、制御部１は選択された項目のバックアップデータを自動的に保存先に記憶させる。選択したトリガーに基づきバックアップデータを生成する場合、デフォルト保存先が設定されているとき、制御部１は、バックアップデータをデフォルト保存先に記憶させてもよい。また、制御部１は、バックアップデータを記憶部２に記憶させてもよい。
【００６９】
（バックアップの流れ）
次に、図１４を用いて、実施形態に係る複合機１００でのデータのバックアップの流れの一例を説明する。図１４は、実施形態に係る複合機１００でのデータのバックアップの流れの一例を示すフローチャートである。
【００７０】
図１４のスタートは、データのバックアップを開始する時点である。具体的に、使用者がバックアップデータの生成を指示したとき（図７に示すＯＫキーＫ１４が操作されたとき）が該当する。また、周期的な自動バックアップを開始する時点も該当する。イベントの発生によりバックアップを開始する時点も該当する。
【００７１】
まず、制御部１は、バックアップデータを生成する項目を認識する（ステップ♯１１）。使用者がバックアップデータの生成を指示したとき、制御部１は、図４〜図６の各画面で選択された項目を認識する。周期的な自動バックアップやイベント発生に基づきバックアップを開始するとき、バックアップデータを生成する時点に到った項目を認識する。
【００７２】
続いて、制御部１は、バックアップデータの保存先を認識する（ステップ♯１２）。使用者がバックアップデータの生成を指示したとき、制御部１は、図７に示す画面で選択された保存先を認識する。周期的な自動バックアップやイベント発生に基づきバックアップを行うとき、記憶部２又はデフォルト保存先を認識する。
【００７３】
制御部１は、バックアップデータを生成する項目に対応するデータをコピーする（ステップ♯１３）。制御部１は、コピーしたデータを保存先に記憶させる（ステップ♯１４）。続いて、制御部１は、バックアップレポートを出力するか否かを確認する（ステップ♯１５）。具体的に、制御部１は、バックアップレポートの出力先が選択されているか否かを確認する。バックアップレポートを出力する場合（ステップ♯１５のＹｅｓ）、制御部１は、設定された出力先にバックアップレポートを出力する（ステップ♯１６）。
【００７４】
バックアップレポートを出力しない場合（ステップ♯１５のＮｏ）、及び、ステップ♯１６の後、制御部１は、バックアップの終了した旨のメッセージを表示パネル３１に表示させる（ステップ♯１７）。このとき、制御部１は、バックアップデータを作成した項目や、バックアップデータのサイズを表示パネル３１に表示させてもよい。そして、本フローは終了する（エンド）。
【００７５】
（バックアップデータに基づく復元）
次に、図１５、図１６を用いて、実施形態に係る複合機１００での復元の一例を説明する。図１５は、実施形態に係るデータ選択画面８６の一例を示す。図１６は実施形態にかかる復元レポート設定画面８７の一例を示す。
【００７６】
上述したようにシステムメニュー画面８１（図３参照）には、復元実行キーＫ２が設けられる。復元実行キーＫ２を操作することにより、データの復元の設定を開始することができる。復元実行キーＫ２が操作されたとき、制御部１は、データ選択画面８６を表示パネル３１に表示させる。
【００７７】
データ選択画面８６には、ＨＤＤボタンＢ１１、メモリーボタンＢ１２、ネットワークボタンＢ１３、他装置ボタンＢ１４が設けられる。また、データ選択画面８６にはレポートキーＫ１９、ＯＫキーＫ２０、キャンセルキーＫ２１が設けられる。設定が完了したとき、ＯＫキーＫ２０が操作される。設定を破棄するとき、キャンセルキーＫ２１が操作される。データ選択画面８６には、第３切替領域Ｒ３が設けられる。制御部１は、バックアップデータを選択するためのデータ選択ボタンＢ１５を第３切替領域Ｒ３に表示させる。操作されたボタンに応じて、制御部１は第３切替領域Ｒ３に表示するデータ選択ボタンＢ１５を切り替える。
【００７８】
ＨＤＤボタンＢ１１が操作されたとき、制御部１は、記憶部２に記憶されたバックアップデータに対応するデータ選択ボタンＢ１５を表示させる。メモリーボタンＢ１２が操作されたとき、制御部１は、携帯型メモリー２００に記憶されたバックアップデータに対応するデータ選択ボタンＢ１５を表示させる。このとき、制御部１は、接続部６には携帯型メモリー２００が接続されている。ネットワークボタンＢ１３が操作されたとき、制御部１は、コンピューター３００に記憶されたバックアップデータに対応するデータ選択ボタンＢ１５を表示させる。今までにバックアップデータを記憶させたコンピューター３００が対象となる。他装置ボタンＢ１４が操作されたとき、制御部１は、他の画像形成装置４００に記憶されたバックアップデータに対応するデータ選択ボタンＢ１５を表示させる。同じローカルネットワークに属する画像形成装置が対象となる。制御部１は、データ選択ボタンＢ１５内に、対応するバックアップデータの保存された日時を表示させる。制御部１は、項目名をデータ選択ボタンＢ１５内に表示させてもよい。
【００７９】
また、記憶場所単位ではなく、項目のタイプ（設定値、ファームウェア、アプリケーション）に基づき、バックアップデータを選択できるようにしてもよい。この場合、制御部１は、図４〜６のような項目を選択するためのボタンをデータ選択画面８６内に表示させる。操作パネル３（タッチパネル３２）は、項目の選択を受け付ける。制御部１は、選択された項目のバックアップデータに対応するデータ選択ボタンＢ１５を表示させる。あるいは、操作パネル３は、記憶場所の選択を受け付け、さらに、項目のタイプに基づくバックアップデータの選択を受け付けてもよい。この場合、制御部１は、ＨＤＤボタンＢ１１、メモリーボタンＢ１２、ネットワークボタンＢ１３、他装置ボタンＢ１４を表示パネル３１に表示させる。記憶場所が選択されたとき（ボタンが操作されたとき）、制御部１は、図４〜６のような項目を選択するためのボタンをデータ選択画面８６内に表示させる。これにより、記憶場所を選択し、選択された記憶場所に記憶されたバックアップデータを項目単位で選択することができる。
【００８０】
操作パネル３は、データ選択ボタンＢ１５への操作を受け付ける。つまり、操作パネル３は復元に用いるバックアップデータを選択する操作を受け付ける。ＯＫキーＫ１７が操作されたとき、制御部１は、操作パネル３で選択されたバックアップデータに基づく復元を記憶部２に行わせる。復元では、制御部１は、記憶部２のデータを選択されたバックアップデータに戻す。制御部１は、選択されたバックアップデータと同じ項目に対応するデータを、選択されたバックアップデータに戻す。復元では、操作パネル３は、他の画像形成装置４００が記憶させたバックアップデータを選択する操作を受け付ける。制御部１は、他の画像形成装置４００のバックアップデータに基づく復元を記憶部２に行わせ得る。
【００８１】
レポートキーＫ１９が操作されたとき、制御部１は、図１６に示す復元レポート設定画面８７を表示パネル３１に表示させる。復元レポート設定画面８７が操作されたとき、制御部１は、送信先設定ボタン群Ｇ４と内容設定ボタン群Ｇ５を表示させる。
【００８２】
送信先設定ボタン群Ｇ４は、４つの出力先選択キーを含む。出力先選択キーを操作することにより、復元レポートの出力先を設定することができる。復元レポートは、実行された復元に関する情報が記される。復元レポートは、復元実行時に出力される。
【００８３】
出力先として、コンピューター３００、クラウド、ＨＤＤ（記憶部２）、印刷を選択することができる。なお、他の出力先を選択できるようにしてもよい。また、複数の出力先を選択することもできる。操作パネル３は、復元に関する復元レポートの出力先（出力方法）を選択する設定を受け付ける。印刷が選択されているとき、制御部１は、復元レポートを印刷部５に印刷させる。送信先が選択されているとき、制御部１は、予め設定された送信先（コンピューター３００、クラウド、記憶部２）に復元レポートを送信する。なお、出力先が選択されていない場合、復元レポートは出力されない。
【００８４】
ファームウェアの復元を行ったとき、復元したファームウェアの名前が復元レポートに含まれる。内容設定ボタン群Ｇ５は、４つの内容選択ボタンを含む。制御部１は、復元レポートに復元したデータの項目の名前を含ませる。内容選択ボタンを操作することにより、復元レポートの出力内容を設定することができる。
【００８５】
復元された個々の項目のデータサイズ、復元データの合計サイズ、日付、状態（復元が正常に行われたか否か）を含めるか否かを設定することができる。なお、他の情報についても、レポートに含めるか否かを選択できるようにしてもよい。操作パネル３は、復元レポートに含める内容を定める設定を受け付ける。制御部１は、操作パネル３で設定された内容の復元レポートを印刷又は送信させる。
【００８６】
（復元の流れ）
次に、図１７を用いて、実施形態に係る複合機１００での復元の流れの一例を説明する。図１７は、複合機１００での復元の流れの一例を示すフローチャートである。
【００８７】
図１７のスタートは、バックアップデータに基づく復元を開始する時点である。具体的に、使用者が復元を指示したとき（図１５に示すＯＫキーＫ１７が操作されたとき）が該当する。まず、制御部１は、復元に用いるバックアップデータを取得する（ステップ♯２１）。選択されたバックアップデータの保存先が携帯型メモリー２００、コンピューター３００、他の画像形成装置４００の場合、制御部１は、携帯型メモリー２００、コンピューター３００、他の画像形成装置４００にバックアップデータの送信要求を出す。そして、制御部１は、要求に応じて送信されたバックアップデータを受信する。
【００８８】
続いて、制御部１は、復元に用いるバックアップデータの項目を認識する（ステップ♯２２）。制御部１は、記憶部２のデータのうち、認識した項目に対応するデータをバックアップデータに変更させる（ステップ♯２３）。つまり、制御部１は、バックアップデータに基づく復元を記憶部２に行わせる。
【００８９】
続いて、制御部１は、復元レポートを出力するか否かを確認する（ステップ♯２４）。具体的に、制御部１は、復元レポートの出力先が選択されているか否かを確認する。復元レポートを出力する場合（ステップ♯２４のＹｅｓ）、制御部１は、設定された出力先に復元レポートを出力する（ステップ♯２５）。復元レポートを出力しない場合（ステップ♯２４のＮｏ）、及び、ステップ♯２５の後、制御部１は、復元を終了した旨のメッセージを表示パネル３１に表示させる（ステップ♯２６）。このとき、制御部１は、復元した項目や、復元前と復元後のデータのサイズをあわせて表示させてもよい。そして、本フローは終了する（エンド）。
【００９０】
従来、画像形成装置のバックアップでは、予め定められた全てのデータがまとめてコピーされていた。また、復元を行った場合、元に戻したくないデータまで復元されてしまう場合があった。そこで、実施形態に係る画像形成装置は、印刷部５、記憶部２、操作パネル３、制御部１と、を備える。印刷部５は、印刷を行う。記憶部２は、データを記憶する。操作パネル３は、バックアップする１又は複数の項目の選択を受け付ける。制御部１は、記憶部２に記憶されたデータのうち、操作パネル３で選択された項目に対応するデータのコピーをバックアップデータとして保存先に記憶させる。操作パネル３は、バックアップデータを選択する操作を受け付ける。制御部１は、操作パネル３で選択されたバックアップデータに基づく復元を記憶部２に行わせ、復元では、選択されたバックアップデータと同じ項目に対応するデータを選択されたバックアップデータに戻す。
【００９１】
これにより、データの重要性、使用頻度を考慮し、バックアップを行う項目を選択することができる。項目単位で個別にデータのバックアップすることができる。従って、所望のデータのみをバックアップすることができる。つまり、項目単位で復元ポイントを作成することができる。１回のバックアップに要する時間と１回の復元に要する時間を短くすることができる。また、復元に用いるバックアップデータを選択することができる。項目単位で個別にデータの復元を行うことができる。従って、所望するデータのみを、バックアップ時（復元ポイント作成時）の状態に戻すことができる。元に戻したくないデータまで復元されることを防ぐことができる。
【００９２】
また、記憶部２は、複数の設定値をデータとして記憶する。項目として複数の仕分け項目が設けられる。各設定値は複数の仕分け項目の何れかに割り当てられる。また、記憶部２は、複数のファームウェアをデータとして記憶する。１つのファームウェアが１つの項目に該当する。記憶部２は、複数のアプリケーションをデータとして記憶する。１つのアプリケーションが１つの項目に該当する。これにより、仕分け項目に対応する設定値群、１つのファームウェア、１つのアプリケーションの単位でデータをバックアップすることができる。従って、従来よりもバックアップするデータを詳細に選択することができる。また、仕分け項目に対応する設定値群、１つのファームウェア、１つのアプリケーションの単位でデータの復元を行うことができる。従って、従来よりも復元するデータを詳細に選択することができる。
【００９３】
また、操作パネル３は、バックアップデータを自動的に保存先に記憶させるイベントを設定するイベント設定を受け付ける。操作パネル３は、項目ごとにイベント設定を受け付ける。制御部１は、イベント設定に基づき、バックアップデータを保存先に記憶させる。これにより、項目ごとに自動バックアップを行うタイミングを設定することができる。データの重要性、使用頻度を考慮し、項目単位で自動バックアップを行うタイミングを設定することができる。言い換えると、復元ポイントの自動作成のタイミングを項目単位で設定することができる。
【００９４】
また、操作パネル３は、項目ごとにバックアップデータを記憶させる保存先を選択する設定を受け付ける。これにより、バックアップデータの保存先を詳細に設定することができる。データの種類に応じてバックアップデータの保存先を分散させることができる。バックアップデータの取扱方針、容量のような事情を考慮し、バックアップデータを記憶させる装置を定めることができる。画像形成装置から所望の保存先に直接的にバックアップデータを書き込むことができる。
【００９５】
また、操作パネル３は、実行されたバックアップのレポートであるバックアップレポートの出力先を選択する設定を受け付ける。バックアップが実行された場合、出力先として印刷が選択されているとき、制御部１は、バックアップレポートを印刷部５に印刷させ、出力先として送信が選択されたとき、制御部１は、予め定められた送信先にバックアップレポートを送信する。これにより、実行したバックアップに関する情報を使用者の所望の形態で、所望の出力先に出力することができる。また、操作パネル３は、バックアップレポートに含める内容を定める設定を受け付ける。制御部１は、操作パネル３で設定された内容のバックアップレポートを印刷又は送信させる。これにより、使用者は所望する内容のバックアップレポートを得ることができる。
【００９６】
また、制御部１は、項目１つにつき、予め定められた復元ポイント数内のバックアップデータを保存先に記憶させる。新たにバックアップデータを記憶させると復元ポイント数を超える場合、制御部１は、復元ポイント数を超える項目のバックアップデータのうち、最も古いバックアップデータを削除する。復元ポイント数は、項目ごとに定められる。これにより、古いバックアップデータを自動的に削除することができる。そして、保存先におけるバックアップデータの総容量を抑えることができる。また、各項目に対応するデータの使用頻度や更新頻度に応じ、適切な復元ポイント数を定めることができる。
【００９７】
また、操作パネル３は、複数のバックアップデータを選択する操作を受け付ける。制御部１は、複数の選択されたバックアップデータに基づき、複数の項目に対応するデータの復元を行う。これにより、複数のバックアップデータを用いて、同時に復元を行うことができる。１回の復元操作で複数の項目に対応するデータを復元することができる。項目ごとに復元のための操作を繰り返さなくてすむ。
【００９８】
また、操作パネル３は、他の画像形成装置４００のバックアップデータを選択する操作を受け付ける。他の画像形成装置４００のバックアップデータに基づき、制御部１は復元を記憶部２に行わせる。これにより、バックアップデータを流用し、他の画像形成装置４００の設定やデータを容易に再現することができる。
【００９９】
また、操作パネル３は、実行された復元のレポートである復元レポートの出力先を選択する設定を受け付ける。復元が実行された場合、出力先として印刷が選択されているとき、制御部１は、復元レポートを印刷部５に印刷させる。出力先として送信が選択されているとき、制御部１は予め定められた送信先に復元レポートを送信する。これにより、実行した復元に関する情報を使用者の所望の形態で、所望の出力先に出力することができる。また、操作パネル３は、復元レポートに含める内容を定める設定を受け付ける。制御部１は、操作パネル３で設定された内容のバックアップレポートを印刷又は送信させる。これにより、使用者は所望する内容の復元レポートを得ることができる。
【０１００】
本発明の実施形態を説明したが、本発明の範囲はこれに限定されるものではなく、発明の主旨を逸脱しない範囲で種々の変更を加えて実施することができる。
【産業上の利用可能性】
【０１０１】
本発明は、データをバックアップする画像形成装置に利用可能である。
【符号の説明】
【０１０２】
１００  複合機（画像形成装置）          １      制御部
２      記憶部                          ３      操作パネル
５      印刷部
【図１】
2018075769.tif 000003
【図２】
2018075769.tif 000004
【図３】
2018075769.tif 000005
【図４】
2018075769.tif 000006
【図５】
2018075769.tif 000007
【図６】
2018075769.tif 000008
【図７】
2018075769.tif 000009
【図８】
2018075769.tif 000010
【図９】
2018075769.tif 000011
【図１０】
2018075769.tif 000012
【図１１】
2018075769.tif 000013
【図１２】
2018075769.tif 000014
【図１３】
2018075769.tif 000015
【図１４】
2018075769.tif 000016
【図１５】
2018075769.tif 000017
【図１６】
2018075769.tif 000018
【図１７】
2018075769.tif 000019